(57)【要約】【課題】パネル面部にデザイン性を施すことが可能な愛玩動物通行規制ゲートを得ることを目的としている。また、コスト低減が可能な愛玩動物通行規制ゲートを得ることを目的としている。また、容易に分解できて収納スペースをとらない愛玩動物通行規制ゲートを得ることを目的としている。【解決手段】本発明の愛玩動物通行規制ゲートは、枠部３と、枠部３の枠内を覆うように設置した非金属製のシート状部材５とを備えてなるパネル面部７と、枠部３の下部に設けられて少なくともパネル面部の片面側に延出する一対の脚部９とを備えてなることを特徴とするものである。また、シート状部材５は布製であることを特徴とするものである。【選択図】  図１
2011032648.tif 000002
【特許請求の範囲】
【請求項１】
枠部と、該枠部の枠内を覆うように設置した非金属製のシート状部材とを備えてなるパネル面部と、前記枠部の下部に設けられて少なくとも前記パネル面部の片面側に延出する脚部とを備えてなることを特徴とする愛玩動物通行規制ゲート。
【請求項２】
前記シート状部材は布製であることを特徴とする請求項１記載の愛玩動物通行規制ゲート。
【請求項３】
前記シート状部材は、着脱可能に設置されていることを特徴とする請求項１又は２記載の愛玩動物通行規制ゲート。
【請求項４】
前記シート状部材は、該シート状部材の着脱時に前記脚部の通過を許容する通過許容部を有していることを特徴とする請求項３記載の愛玩動物通行規制ゲート。
【請求項５】
前記シート状部材は、その周縁部を前記枠部に巻回して前記シート状部材に設けた係着部同士を係着して設置されていることを特徴とする請求項１乃至４のいずれか一項に記載の愛玩動物通行規制ゲート。
【請求項６】
前記枠部が複数の管部材の端部を挿入して連結することにより形成され、分解可能になっていることを特徴とする請求項１乃至５のいずれか一項に記載の愛玩動物通行規制ゲート。
【請求項７】
前記枠部は矩形状に形成されており、前記シート状部材が枠部の両側縦部材を覆うように設置されていることを特徴とする請求項１乃至６のいずれか一項に記載の愛玩動物通行規制ゲート。
【請求項８】
前記脚部は一対からなり、該一対の脚部の脚部間の距離を調整可能に取り付けられていることを特徴とする請求項１乃至７のいずれか一項に記載の愛玩動物通行規制ゲート。
【発明の詳細な説明】
【技術分野】
【０００１】
本発明は、屋内外において飼育する犬等の愛玩動物の通行を規制する愛玩動物通行規制ゲートに関する。
【背景技術】
【０００２】
例えば室内で愛玩動物を飼育する場合において、キッチンや玄関に通じる廊下など特定のエリアに愛玩動物が立ち入らないようにしたい場合がある。
このような特定のエリアへの愛玩動物の侵入を阻止するための簡易な間仕切りとして以下のようなものがある。
複数の間仕切り部材を相互に摺動可能に連結して伸縮自在とした間仕切りであって、前記間仕切り部材は、枠体と前記枠体に支持される複数の線条体とを有し、前記間仕切りは、更に前記間仕切り部材の摺動を規制する摺動規制部材を備えていることを特徴とする間仕切り（特許文献１の請求項１参照）。
【０００３】
このような愛玩動物用の間仕切りにおいては、特許文献１にも記載されているように、愛玩動物が閉塞感を感じないように、また、飼育者がペット等の状況を簡易に確認することができるように、枠体に所定の間隔を空けてワイヤ等の線条体等を支持して、格子状乃至は網状に形成された間仕切りとするのが一般的である。
【先行技術文献】
【特許文献】
【０００４】
【特許文献１】特開２００９−１２１２２１号公報
【発明の概要】
【発明が解決しようとする課題】
【０００５】
上述のように、従来の愛玩動物用の間仕切りのパネル面部はワイヤ等の線条体を用いて格子状乃至は網状にするのが一般的であり、このような形態がパネル面部の既成概念となっている。
しかしながら、パネル面部が線条体からなるものでは、その外観がほぼ同じであり、模様等を施してインテリア性を向上させようとしても限界がある。また、線条体を枠体に固定するという形態であり、コストがかかるという問題もある。さらに、線条体を枠体に固定するという形態であるため、枠体から線状体を外すことができず、パネルを分解等できないので、使用しないときや、販売店での在庫保管時における収納スペースの問題もある。
【０００６】
本発明はかかる課題を解決するためになされたものであり、パネル面部にデザイン性を施すことが可能な愛玩動物通行規制ゲートを得ることを目的としている。
また、コスト低減が可能な愛玩動物通行規制ゲートを得ることを目的としている。
また、容易に分解できて収納スペースをとらない愛玩動物通行規制ゲートを得ることを目的としている。
【課題を解決するための手段】
【０００７】
（１）本発明に係る愛玩動物通行規制ゲートは、枠部と、該枠部の枠内を覆うように設置した非金属製のシート状部材とを備えてなるパネル面部と、前記枠部の下部に設けられて少なくとも前記パネル面部の片面側に延出する脚部とを備えてなることを特徴とするものである。
【０００８】
（２）また、上記（１）に記載のものにおいて、前記シート状部材は布製であることを特徴とするものである。
【０００９】
（３）また、上記（１）又は（２）に記載のものにおいて、前記シート状部材は、着脱可能に設置されていることを特徴とするものである。
【００１０】
（４）また、上記（３）に記載のものにおいて、前記シート状部材は、該シート状部材の着脱時に前記脚部の通過を許容する通過許容部を有していることを特徴とするものである。
【００１１】
（５）また、上記（１）乃至（４）のいずれかに記載のものにおいて、前記シート状部材は、その周縁部を前記枠部に巻回して前記シート状部材に設けた係着部同士を係着して設置されていることを特徴とするものである。
【００１２】
（６）また、上記（１）乃至（５）のいずれかに記載のものにおいて、前記枠部が複数の管部材の端部を挿入して連結することにより形成され、分解可能になっていることを特徴とするものである。
【００１３】
（７）また、上記（１）乃至（６）のいずれかに記載のものにおいて、前記枠部は矩形状に形成されており、前記シート状部材が枠部の両側縦部材を覆うように設置されていることを特徴とするものである。
【００１４】
（８）また、上記（１）乃至（７）のいずれかに記載のものにおいて、前記脚部は一対からなり、該一対の脚部の脚部間の距離を調整可能に取り付けられていることを特徴とするものである。
【発明の効果】
【００１５】
本発明においては、枠部を非金属製のシート状部材で覆うという画期的なものにしたことで、パネル面部のデザインを自由に行うことが可能となり、パネル面部をデザイン性に優れたものにすることが可能となる。また、線条体を設けるという従来方式のものに比較してコストを低減することも可能である。
【図面の簡単な説明】
【００１６】
【図１】本発明の一実施の形態に係る愛玩動物通行規制ゲートの斜視図である。
【図２】本発明の一実施の形態に係る愛玩動物通行規制ゲートの側面図である。
【図３】本発明の一実施の形態に係る愛玩動物通行規制ゲートの分解斜視図である。
【図４】本発明の一実施の形態に係る愛玩動物通行規制ゲートの一部を拡大して示す拡大図である。
【図５】本発明の一実施の形態に係る愛玩動物通行規制ゲートの使用状態の説明図であり、平面視した状態を示している。
【図６】本発明の一実施の形態に係る愛玩動物通行規制ゲートの使用状態の説明図である。
【図７】本発明の一実施の形態に係る愛玩動物通行規制ゲートの使用状態の説明図である。
【図８】本発明の一実施の形態に係る愛玩動物通行規制ゲートの脚部の他の態様の説明図であり、平面視した状態を示している。
【図９】本発明の一実施の形態に係る愛玩動物通行規制ゲートの脚部の他の態様の説明図であり、脚部近傍を側面から見た状態を示している。
【図１０】本発明の一実施の形態に係る愛玩動物通行規制ゲートのシート状部材の他の態様の説明図である。
【図１１】本発明の一実施の形態に係る愛玩動物通行規制ゲートのシート状部材の他の態様の説明図である。
【図１２】本発明の一実施の形態に係る愛玩動物通行規制ゲートの枠部及びシート状部材の他の態様の説明図である。
【図１３】本発明の一実施の形態に係る愛玩動物通行規制ゲートの枠部及びシート状部材の他の態様の説明図である。
【図１４】本発明の一実施の形態に係る愛玩動物通行規制ゲートのシート状部材の他の態様の説明図である。
【図１５】本発明の一実施の形態に係る愛玩動物通行規制ゲートの六面図のうちの底面図を除いたものを示す図である。
【図１６】図１５に示した愛玩動物通行規制ゲートの底面図であり、詳細部を明瞭に示すために図１５の縮尺よりも拡大して示す図である。
【図１７】図１５に示した愛玩動物通行規制ゲートの矢視Ａ―Ａ断面図であり、詳細部を明瞭に示すために図１５の縮尺よりも拡大して示す図である。
【発明を実施するための形態】
【００１７】
本発明の一実施の形態に係る愛玩動物通行規制ゲート１を図面に基づいて説明する。本実施の形態に係る愛玩動物通行規制ゲート１は、矩形状の枠部３と枠部３の枠内を覆うように設置した布製のシート状部材５とを備えてなるパネル面部７と、枠部３の下辺に設けられてパネル片面側に延出する一対の脚部９とを備えている。
以下、各構成を詳細に説明する。
【００１８】
＜枠部＞
枠部３は、断面が長丸状の金属製の管材からなるフレームによって形成されている（図３、図４参照）。枠部３は四隅に滑らかな曲部を有する矩形状に形成されている。管材の材質としては、例えばアルミ合金を用いることで軽量化ができる。
なお、図１と図３ではパネル面部７に対する脚部９の延出する側が反対になっているが、これは脚部９の取り付け状態を見やすくするためである。通常は、図１に示す向きに脚部９を延出させるが、図３の向きであってもよい。この点は、図９、図１０、図１２、図１３、図１４において同様である。
【００１９】
＜脚部＞
脚部９は、枠部３の下辺に、パネル面部７の片面側に延出するように一対設けられている。脚部９が延出するパネル面部の片面側は、後述の使用方法の説明で述べるように通常はペットがいる側となる。
脚部９は、図４に示すように、枠部３と同様の断面長丸状の管材からなる脚フレーム１１と、その両端に設置された樹脂製のキャップ１３ａ、１３ｂとを備えてなり、脚部９の基端側が枠部３に接合されている。先端側のキャップ１３ａは、脚部９の先端側に挿入され、キャップ１３ａ及び脚部９に設けられた取付穴（図示なし）の位置を合わせ、リベット１４によって脚フレーム１１に固定されている。
枠部３に接合される基端側のキャップ１３ｂの上面にはネジ穴１５を有する凸部１７が設けられている（図３、図４参照）。基端側のキャップ１３ｂは、脚部９の基端側に挿入され、キャップ１３ｂ及び脚部９に設けられた取付穴（図示なし）の位置が合わせられる。
【００２０】
キャップ１３ｂが挿入された脚部９は、図４に示すように、キャップ１３ｂの底面側から枠部３に向けて挿通したネジ１９によって枠部３に固定されている。なお、ネジ１９には座金２１、バネ座金２３を介して蝶ナット２５が螺合されており、蝶ナット２５を緩めることで脚部９は枠部３に対して回動可能となり、蝶ナット２５を外せば脚部９は枠部３から取り外しができる。
【００２１】
枠部３にはシート状部材５が巻きついており、枠部３の下面をシート状部材５が覆っているが、脚部９が取り付けられる部分のシート状部材５には円形の開口部２７が形成されており（図３、図４参照）、この開口部２７にキャップ１３ｂの凸部１７が挿入される。そして、凸部１７の高さがシート状部材５の厚みより高く設定されており、このように設定することで、シート状部材５がフレームとキャップ１３ｂとの間に押し付けられることがなくなり、脚部９の回動をスムーズに行うことができる。
【００２２】
＜シート状部材＞
布製のシート状部材５は、枠部３の枠内を覆うことができるように略矩形状に形成されて枠部３に設置されている。より具体的には、シート状部材５の各辺は枠部３に巻き付く長さ分だけ外側に張り出す張出部５ａ、５ｂ、５ｃ、５ｄを有しており（図３参照）、各張出部５ａ、５ｂ、５ｃ、５ｄには設置状態で枠部３を跨げるように所定間隔離して辺方向に延びる一対の面ファスナー３１が設置されている（図３参照）。このように形成されたシート状部材５は、枠部３を包むようにして枠部３に巻き付いた状態で面ファスナー３１を接着させることで枠部３材に取り付けられている。
シート状部材５の下辺には、脚部９の取り付く部分に円形の開口部２７が設けられていることは前述の通りである。また、シート状部材５には開口部２７と外縁とを繋ぐ線状の切込み３３が設けられている。切込み３３を設けることによって、脚部９を外すことなく、シート状部材５の取付け、取外しができる。切込み３３が本発明における通過許容部を構成する。
【００２３】
シート状部材５を取り付けた状態では、図１に示すように、パネル面部の四隅に窓部３５が形成されているが、これはデザイン性を考慮したものであると共にシート状部材５の取り付け取外しを容易にするためである。もっとも、この四隅に生ずる窓部３５が大きくなりすぎるとペットが頭などを突っ込む危険があるので、例えば40ｍｍ角以内に設定するのが好ましい。
【００２４】
シート状部材５を形成する布は、織布、不織布、編物を含む。シート状部材５の材質は非金属製のものであれば、布製以外のものでもよく、例えばビニールなどの軟質樹脂などであってもよい。
布やビニールなどにすることで、パネル面部７の色や模様などを自由に決めることができ、インテリアとして優れたものにすることができる。
【００２５】
［使用方法の説明］
次に、上記のように構成された本実施の形態に係る愛玩動物通行規制ゲート１の使用方法を説明する。
図５、図６に示すように、ペット３７の侵入を阻止したいエリア３９側の壁面４１にパネル面部７の両端片面を当接させる。このとき、脚部９はペット３７がいるエリア４０側に延出させる。この状態で、仮にペット３７が侵入を規制されているエリア３９に行こうとしてパネル面部７に突進しても、パネル面部７の両端が壁面４１に当接しているので愛玩動物通行規制ゲート１は動かずにペット３７の侵入を確実に阻止できる。そして、パネル面部７の両端は布製のシート状部材５で覆われているので、壁面４１を傷付けることもない。
【００２６】
ペット３７の通行を許可する際には、愛玩動物通行規制ゲート１を持ち上げて移動するだけでよい（図７参照）。そして、図７に示すように、脚部９を回動させて枠部３に沿うようにすることで、脚部９が出っ張らなくなり邪魔にならない。
【００２７】
シート状部材５は、面ファスナー３１の接着を外すことで、容易に枠部３から外すことが可能であり、洗濯などをする際には極めて便利である。しかも、シート状部材５における脚部取付部に円形の開口部２７と線状の切込み３３を設けているので、脚部９を取り外すことなくシート状部材５の取り付け取外しが可能である。
【００２８】
本実施の形態の愛玩動物通行規制ゲート１によれば、枠部３を布製のシート状部材５で覆うという画期的なものにしたことで、シート状部材５のデザインを自由に行うことが可能となり、パネル面部７をデザイン性に優れたものにすることが可能となる。また、線条体を設けるという従来方式のものに比較してコストを低減することも可能である。
【００２９】
なお、本実施の形態の愛玩動物通行規制ゲート１は脚部９、枠部３、シート状部材５について種々の態様が考えられるので、その点を以下に説明する。
【００３０】
＜脚部の態様＞
図８に示すように、一対の脚部９を枠部３の両面側に延出するように設置し、各脚部９の距離を調整可能にしてもよい。このようにすることで、通行を規制したいエリア３９の通路幅に合わせて脚部９の幅を設定でき、愛玩動物通行規制ゲート１の使用状態において、設置位置がずれないようにすることができる。脚部９の幅方向の調整方法としては、図８に示すように、枠部３に所定間隔を離して複数の調整穴４３を設けるようにしてもよいし、あるいは長穴を設けるようにしてもよい。長穴を設ければ無段階の調整が可能となる。
【００３１】
また、図９に示すように、脚部９の両端に設置するキャップ１３ａ、１３ｂの高さを高く設定すると共に脚部９を構成する脚フレーム１１をキャップ１３ａ、１３ｂの上方寄りに設置することで、脚フレーム１１と床面との間の隙間を広くすることができる。隙間を広くすることで、愛玩動物通行規制ゲート１の設置床面に例えば桟４５などがあったような場合にこれを回避して設置することができる。
この場合、脚部９の中央部を枠部３に取り付けることになるが、図９に示すように、脚部９と枠部３の間に樹脂製のリング部材４７を設けることにより両者間の摩擦抵抗を大きくして、使用状態において脚部９が不用意に回動しないようにしている。
【００３２】
＜シート状部材の態様＞
上記の実施の形態では、シート状部材５の下辺部に開口部２７と線条の切込み３３を設ける例を示したが、線条の切込み３３を設けないで単に円形の開口部２７のみを設けるようにしてもよい（図１０参照）。この場合、シート状部材５を取り外す際には、脚部９を取り外す必要がある。もっとも、線条の切込み３３を設けない場合であっても、図１１に示すように、開口部２７を長丸状にすることで、脚部９を取り外すことなく、シート状部材５の取付け、取外しが可能になる。この場合、長丸状の開口部２７が本発明の通過許容部を構成する。
【００３３】
＜枠部の態様＞
上記の実施の形態では枠部３は矩形状の一体のものであったが、図１２に示すように、枠部３を上下辺及び両側辺を構成する４本の直管３ａ、３ｂ、３ｃ、３ｄと、４個のコーナ部を構成する曲管３ｅ、３ｆ、３ｇ、３ｈによって形成してもよい。この場合、曲管３ｅ、３ｆ、３ｇ、３ｈの両端部を縮径させ、この縮径部を直管３ａ、３ｂ、３ｃ、３ｄの両端部に挿入するようにする。このように、枠部３を分解可能にすることで、収納時やあるいは販売店での保管時に極めて省スペースとなる。
なお、上記のような、構成にしても、シート状部材５を設置するときに、上下方向及び左右方向でシート状部材５をしっかりと張設することで、直管３ａ、３ｂ、３ｃ、３ｄと曲管３ｅ、３ｆ、３ｇ、３ｈの連結部を別途リベットなどで固定しなくても連結部が抜けない構造となる。
このような構造であれば、分解と組み立てが極めて容易に行うこともできる。
【００３４】
＜枠部及びシート状部材の態様＞
図１３に示すように、枠部３の上下辺を両端に曲部を有する両端曲管３ｉ、３ｊとし、両側辺を図１２と同様の直管３ｃ、３ｄとによって構成してもよい。
また、図１３に示すように、シート状部材５の両側部に筒状の筒状部５ｅ、５ｆを形成し、枠部３を筒状部５ｅ、５ｆに挿入するようにしてもよい。この場合でも、上下のシート状部の面ファスナー３１で止める際にシート状部を張ることで図１２と同様に枠部３の固定を行うことができる。このようにすることで、左右方向の位置が規定されるので、組み立て時の位置決め作業が不要となり、組み立てが容易となる。
【００３５】
さらに、図１４に示すように、シート状部材５の両側部に加えて上辺部にも筒状部５ｇを形成するようにしてもよい。このような場合でも、図１３の場合と同様に、下のシート状部の面ファスナー３１で止める際にシート状部を張ることで図１２と同様に枠部３の固定を行うことができる。こうすることで、左右方向及び上辺の位置が規定されるので、組み立て時の位置決め作業が不要となり、組み立てが容易となる。
【００３６】
なお、上記の実施の形態では、シート状部材５を枠部３に固定する手段として面ファスナー３１を設けてこれを係着させる例を示したが、シート状部材５を固定する手段はこれに限られず、ボタン、ホックあるいはファスナーのようなものを設置してこれらを係着させるようにしてもよい。
【００３７】
なお、本実施の形態に係る愛玩動物通行規制ゲート１は技術的に優れたものであることは上述の通りであるが、パネル部分を線条体からシート状に変えた点において意匠的にも斬新なものとなっている。この点を明確にするため、図１５〜図１７に六面図及び断面図を示しておく。図１５において、（ａ）は正面図、（ｂ）は左側面図、（ｃ）は右側面図、（ｄ）は平面図、（ｅ）は背面図である。また、図１６は底面図、図１７は図１５における矢視Ａ−Ａ線に沿う断面図である。
なお、本実施の形態は図１５〜図１７に示すように全体意匠として斬新なものであるが、特にパネル面部７をシート状部材で形成した点が特に特徴的であることから、脚部９を除く矩形状の枠部３とシート状部材５の部分にも新規な創作が認められる。
【符号の説明】
【００３８】
１  愛玩動物通行規制ゲート
３  枠部
３ａ、３ｂ、３ｃ、３ｄ  直管
３ｅ、３ｆ、３ｇ、３ｈ  曲管
３ｉ、３ｊ  両端曲管
５  シート状部材
５ａ、５ｂ、５ｃ、５ｄ  張出部
５ｅ、５ｆ、５ｇ  筒状部
７  パネル面部
９  脚部
１１  脚フレーム
１３ａ、１３ｂ  キャップ
１４  リベット
１５  ネジ穴
１７  凸部
１９  ネジ
２１  座金
２３  バネ座金
２５  蝶ナット
２７  開口部
３１  面ファスナー
３３  切込み
３５  窓部
３７  ペット
３９  侵入を規制したいエリア
４０  ペットのいるエリア
４１  壁面
４３  調整穴
４５  桟
４７  リング部材
【図１】
2011032648.tif 000003
【図２】
2011032648.tif 000004
【図３】
2011032648.tif 000005
【図４】
2011032648.tif 000006
【図５】
2011032648.tif 000007
【図６】
2011032648.tif 000008
【図７】
2011032648.tif 000009
【図８】
2011032648.tif 000010
【図９】
2011032648.tif 000011
【図１０】
2011032648.tif 000012
【図１１】
2011032648.tif 000013
【図１２】
2011032648.tif 000014
【図１３】
2011032648.tif 000015
【図１４】
2011032648.tif 000016
【図１５】
2011032648.tif 000017
【図１６】
2011032648.tif 000018
【図１７】
2011032648.tif 000019